(57)【要約】【課題】  防災と防犯又は双方に緊急情報ときに停電、断線も乾電池格納具備され、電子錠と埋込電子錠を施錠又は解錠して、防災センサー端末作動して消火救助、避難情報から瞬秒争うときドア解錠としドアと引戸される火災地震防犯開閉装置に関する。【解決手段】  電子錠と埋込電子錠を玄関ドア、室内、職場の室内などに備えて、なお、火災地震無線送受信端末具備のみの子機を各部屋の天井・壁面などに複数設置して、火災発生情報を無線送受信により生命、建物、財産守ることができる複数防災装置を提供すことを目的とする。【選択図】          図４
2008163673.tif 000002
【特許請求の範囲】
【請求項１】
非接触カードの通行証、社員証、携帯機と電子錠と埋込電子錠を介して出入口・ゲート・ドア通過は、１タッチ照合に前記通行証、社員証、携帯機所有者手の甲血管画像又は手の掌血管画像認証登録さす、また、病歴認証登録さすことにおいて所有者事故・事件ときの緊急事態を所有者同様に代理人認証登録により安全性有用さし、所有者指指紋画像から左右複数の指紋画像のいずれかの特徴ある１指指紋画像データ認証の１つを所定において要否する識別された確認を確実することを判定され認証ときにのみ行う手段と、を通行証、社員証、携帯機面に具備設けた指紋読取センサー認証装置に前記所有者１指紋面部分を置く又はスライドによって識別一致したときのみ指紋データ読取記憶と年月日時分秒・記号登録格納されたことにより予め記憶された識別情報を通行証、社員証、携帯機と電子錠と埋込電子錠に登録格納生成された、前記指紋データ認証を記憶された識別情報と、が予め記憶されたことが確実に認証一致したときにのみ１タッチ点灯する点灯制御において１タッチ格納を成立する手段と、を２タッチ機能は、通行証、社員証、携帯機面に指紋画像面具備され、前記所有者登録指を指紋画像面に置くことによって前記所有者認証を予め記憶された識別情報と、が確実に認証一致照合されたときにのみ前記所有者指紋データ読取記憶登録格納を確認されることにより２タッチ点灯されて確認と、を前記錠に予め格納の指紋データ読取記憶登録格納に２タッチ一致点灯された２タッチ点灯制御にあって出入口・ゲート・ドアを通過されるときにのみ２タッチ格納を成立とされることを要因さし形成された構成であることを特徴とする防災防犯電子錠。
【請求項２】
２タッチ機能実行は電子錠と埋込電子錠を設置した請求項１の出入口を通過について、前記所有者保持に具備する無線装置側を電子錠と埋込電子錠に向けて前記所有者は指紋画像面に１タッチにより点灯する１タッチ点灯制御して指紋データ読取記憶登録格納から識別一致により２タッチ点灯する２タッチ点灯制御して前記所有者指紋データ読取記憶登録格納を一致照合生成より２タッチ成立手段されて外者無断立入り防ぐ、また、所有者施錠ボタンタッチ施錠制御と、解錠ボタンタッチ解錠制御された手段と、を前記所有者指置く又はスライドにより通過、館内、室内に入退室して選択情報を識別される手段を行う、オープンフロアも識別されて個別コーナーにより前記出入口を通過されたことを要因発生する形成された構成であることを特徴とした防災防犯電子錠。
【請求項３】
前記所有者が電子錠に向けて無線送受信されドア施錠ボタンタッチによりロック施錠と、ドア解錠ボタンタッチによりロック解錠を施解錠制御と停止手段により玄関等に前記電子錠と埋込電子錠設置は帰宅解錠され挨拶音声器の挨拶迎えと直下灯器点灯され足元明り、又はドア、引戸枠にＬＥＤを配線状・ホース状・シート状貼り、所有者指タッチによって一致ときにのみＬＥＤ点灯によりラッチハンドル明るく照明迎えを前記カード面にスイッチ等複数タッチ要因発生を機能具備された手段を形成された構成であることを特徴とした防災防犯電子錠。
【請求項４】
前記電子錠と埋込電子錠のドアロック忘れ防止は、前記電子錠と埋込電子錠に無線受信メモリ認証を予め記憶された識別情報にのみ登録して格納する、通行証、社員証、携帯機、財布、所持品をカード面に無線送信メモリＯＮ・ＯＦＦ入力する、不要はＯＦＦに切換通過する、またカード面に顔転写身分証明、名刺情報記録端末、忘れ所持品ときは、通過前に人体感知遠赤外線センサー具備生成手段と、をロック施錠忘れ・財布忘れ・所持品忘れのいずれかを忘れて通過ときに前記電子錠と埋込電子錠の音声忘れ警報と点滅器点灯してドアロック忘れ、通行証、社員証、携帯機忘れ、財布忘れ、所持品忘れに通行証、社員証カード入付忘れ、忘失防止装置にあって生成手段とを形成する構成であることを特徴とした防災防犯電子錠。
【請求項５】
ドアロック作動をリニア材又はベアリング材に技術が前記電子錠と埋込電子錠を小型化、軽量化にあって微省電力化により前記電子錠をドアの室内側面上部に備えたことで前記電子錠底部に地震火災無線送受信部、警報器、防災防犯施解錠制御、火災地震防犯開閉装置、直光誘導灯器、火災地震無線送受信端末を設置場所によりいずれかを選択組合せ具備生成され手段によって建物内に、室内に、防災情報されボヤ消火で済む、さらに最危険な防災情報の人体危険与える有毒ガス又は化学反応神経機能などの情報を装備に選択組合せて、電子錠、埋込電子錠、子機に具備手段により建物内外にも大惨事ない要素を防ぐ形成を有することを特徴された防犯災電子錠。
【請求項６】
前記火災発生情報にして火災所定レベル判定外とされた緊急事態情報とき、ドアロック解錠を識別された判定する生成と、ドアロック施錠を識別された判定されて、電子錠、埋込電子錠作動を因る情報データ認証を予め記憶された識別情報にのみ登録格納され、更に最緊急事態情報を瞬秒争うときのみ火災地震施解錠によりドアをロック解錠制御と火災地震防犯開閉によりドア開ける、火災地震ドア・引戸・門扉施解錠を判定された生成手段と、を在室者又は熟睡者又は通行者に知らせる手段と、隣室又は上下階に救出又は消火応援求める、火災発見して炎・熱・煙・有毒ガスセンサーと警報音声は地震火災無線送受信部されて、この防災機能のいずれかを組合せ電子錠と子機に具備生成とし、直下灯器、点滅灯器、回転灯器、直光誘導灯器具備され無線通信によって送受信される、手段により1室単位設置される、また子機数機を大広間の天井に上下自動設置によりボヤ又は出火発生瞬秒ドア電子錠と埋込電子錠に無線送信して緊急避難情報を判定されて行動実行手段と、を生命不幸な大火を防ぐことができることを特徴とされた防災防犯電子錠。  
【請求項７】
予備乾電池具備生成手段と、を電子錠と埋込電子錠と子機にＡＣとアダプタＤＣ使用され、電源必要機器全てに予備乾電池具備する、ドア・引戸・門扉開け又は閉め作動と火災地震開閉に設置されて、地震警報され地震不幸・惨事防ぐ地震の震度０になった、火災鎮火とき、室内不在とロック解錠操作機能を所有者室内置き飛出し状態もロック自動施錠をロック施錠停止、所有者手動開け室内入り、ロック施錠止機能を平常さす（操作と機構の文と図省略）ことを特徴とされた防災防犯電子錠。
【請求項８】
虹彩認証画像又は顔認証画像を有機ＥＬシート面に虹彩画像又は顔画像移行装置面を映写ときにのみ所有者指タッチすることで水平動・平行動により電子錠と埋込電子錠ロック施解錠制御又は解錠制御される虹彩認証、顔認証される機能において地震火災無線送受信され、前記虹彩認証画像又は顔認証画像においてロック作動する装置に全て予備乾電池具備生成する手段において生命・財産・建物を守る安全を特徴とされた防災防犯電子錠。
【請求項９】
なお、虹彩画像登録器又は顔画像登録器に予め登録記憶格納された２つの登録器のいずれかを確実に認証一致されたとこにのみ施解錠制御又は解錠制御して虹彩認証、顔認証機能に完全セキュリティに２画像を一致されたときにのみに前記電子錠と埋込電子錠施解錠により成立されてドア・引戸・門扉に設けて、所有者通行証、社員証、携帯機無線送受信において照明点灯明るく登録器確認便利にされ、他人防ぐ完全を図り、また、２つの登録器を固定されて所有者位置に備えて、なお、電飾器の壁塀、フエンスに接触点灯と遠赤外線暗視防犯CCDカメラ作動は照明録画明確され不正者逃げる安全、なお、来訪者に乗物・道路など道案内を詳細録音とし受付・個人により説明、なお、警察１１０、消防１１９も同様に録音とし動転不案内減さす、目印点灯・電光飾方向に進める案内灯になり、ドア・引戸・門扉に美術感を与える特徴とされた防災防犯電子錠。
【発明の詳細な説明】
【技術分野】
【０００１】
本発明は、通行証、社員証、携帯機に無線通信する送受信を介して電子錠ロック水平動・埋込電子錠ロック回転動によりロック施錠制御と解錠制御する無線施解錠装置は多機種ある無線キーレス機能又はソレノイド機能から選択整合する機能を組合しロック作動に具備手段と、を会場内、館内、室内等に在室又は退室の在退室装置具備した電子錠と埋込電子錠を出入口・ゲート・ドア・引戸機能に関する。
【０００２】
さらに、電子錠・埋込電子錠のロック作動にリニア材又はベアリング材を用いて、電子錠ロック作動が超微電力化、軽快動する超少量材料化、小型化、軽量化され、炎・熱・煙・有毒ガスは防災センサー端末に具備と共に防災情報と防犯情報に複数共有効果され、施錠制御と解錠制御の装置に関する。
【０００３】
また、防災と防犯又は双方に緊急情報ときに停電、断線も乾電池格納具備され、電子錠と埋込電子錠を施錠又は解錠して、防災センサー端末作動して消火救助、避難情報から瞬秒争うときドア解錠としドアと引戸される火災地震防犯開閉装置に関する。
【０００４】
また、電子錠と埋込電子錠を２階以上の数百階の通路側ドアとベランダ側窓の上部に設置して工場・集合事務所・高層ビル群の一室に電子錠と埋込電子錠と子機に無線通信の無線送受信して炎・熱・煙・有毒ガスセンサーのいずれかを設置場所によって必要に応じ組合された防災センサーと火災地震警報、直下灯器、点滅灯器、回転灯器は火災防犯地震無線送受信部に具備生成して戸建住宅・団地の２階・３階等の1室に電子錠と埋込電子錠と子機を設ける手段により火災瞬秒ドアと引戸ロック解錠され、救助に隣室又は上下階からドアと窓開けて初期消火から在室者救助又は避難活動できる人命救助で軽症又は死者激減する被害与えない電子錠と埋込電子錠と子機に通行証、社員証、携帯機を介して、被害減を広く適用に関する。
【０００５】
なお、最重要な出入口ドア、窓の上部位置に電子錠を設置して、なお、下部位置に設置について２ロックして、相互無線通信され施解錠手段として通過者は通行証・社員証・携帯機においてタッチ瞬時に相互一致の照合、電子錠と埋込電子錠ロック解錠と施錠に無線施解錠具備行うことで、不正タッチは即警告と点滅器点灯によりドア・窓に不正防ぐことに関する。
【０００６】
さらに、煙と熱は最高精度・最高品質の超小型赤外線サーモグラフィにより熱画像機能から所定熱温度以上を検知、防災防犯機能生成する手段によりドアロック解錠する、最重要機密室には出入口・ゲート・ドアに人体危険感知され化学異臭検知して、爆発性物質等有害危険物質はバイオセンサー敏捷に反応検知と神経有毒ガス又は電極、半導体素子等の融合発生を検知され瞬秒争う電子錠と埋込電子錠によりドアと引戸開閉装置と接近危険警報と超高輝度ＬＥＤ点滅灯器点灯する機能され通行証、社員証、携帯機に所有者は指画像面タッチによって生命・身体・財産守る防災に関する。
【０００７】
なお、遠赤外線ＣＣＤ組み合わせガス漏れ画像検出又はチューナブルＱＣとＥＣレーザー走査に超赤外線カメラ組み合わせガス漏れ画像検出の技術転換は瞬争によって電子回路端末に無線情報の異常事態、緊急警報の救助侵入禁止、防毒具着用、超高輝度ＬＥＤ点灯、超小型赤回転灯により外部異常知の効果発揮と断続サイレン超高音で隣室と上下階室に情報して最重要建物内外、室内外も、噴霧視界０数値と無音数値０する化学有害合成は、目・口・鼻・皮膚などに空気感染から精神と神経被害は人間生命限界の無防備を防ぐ電子錠装置に関する。
【０００８】
また、前記超高層ビルは外側窓又はドアに具備され電子錠設けて外部に回転超高輝度ＬＥＤと高輝度ＬＥＤ点滅灯され付近ビルに視聴知発見は初期消火・救助・避難情報装置に関する。
【０００９】
従来の建物内、室内の入退室又は会場の出入口・ゲート・ドアに防犯機能は識別情報と一致照合で行っていた。電子錠と埋込電子錠と子機、通行証、社員証、携帯機に生体登録照合が知られている。防犯機能する施解錠に関してはない。
【００１０】
なお、地震情報を無線通信によって電子錠と埋込電子錠に地震無線送受信装置具備生成することにおいて地震情報震度４以上はドア・引戸・門扉・シャッタ等に電子錠・埋込電子錠のロック解錠と鍵レバハンドにラッチ付を電子錠と埋込電子錠の緊急ロック解錠とラッチ解錠機能に加工して直下器点灯、点滅器点灯と地震情報して、地震対策確認する、震度５以上はドア、引戸、門扉、シャッタロック解錠又は開ける開閉装置作動と直下灯器点灯、点滅器点灯と震度危険情報によって夜間寝込んだ在室者を起こすことができる震度０に近づくとドア・引戸・シャッタを閉める開閉装置作動され、数分あとに震度０を確認情報発生同時にドア・引戸・門扉・シャッタにロック施錠と共に直下器点灯と点滅器点灯を消す。開閉装置のドア・引戸は自動であって手足、物品が挟まれる危険性を防ぐ検知センサー取付けと通行証と社員証と携帯機面に停止ボタン具備とスローされた安全性を用いる。地震、火災、台風、雷・地滑り等により電柱事故、停電、断線は付き物的に発生される。なお、地震震度０又は火災鎮火とき、室内不在とロック解錠操作機能さす所有者が操作装置を室内置き飛出た状態もロック自動施錠をロック施錠停止、所有者手動開け室内入り、ロック施錠止機能を平常さす（操作と機構の文と図省略）ことにより電子錠不便問題解決する家庭と、職場とに地震と火災被害防ぐ地震と火災に関する。
【００１１】
また、電子錠と埋込電子錠においてドアノブラッチを用いてドア・引戸を開ける、この付近に近づくと検知センサーにより鍵穴明るくされるＬＥＤシート点灯され開閉錠できる、また、明るくなるために不正防止できる事と、ドア、引戸の縁又は枠にＬＥＤ配線状又はシート又ホース状を貼付けて、通行証・社員証・携帯機面にＬＥＤシート点灯制御されて所有者指タッチで点灯によってドア・引戸明るく迎えされる、集合住宅、分譲住宅のドア・引戸に用いることで他人宅の間違い減る、ＬＥＤシートをドア・引戸等を加工において外観近代的イメージ転換をＬＥＤの色と模様型変化されてメンテナンス不要、さらに電飾・電光飾（イルミネーション）クリスマス・正月・祭り等の時期点灯は楽しみと不正防止に関する。
【００１２】
また、世界に広がるリニア材とベアリング材は、スリーブ抵抗面減が巨大重量物を超小型モータ省電において作動できる。技術転換品多いことは外国技術着眼される現実知る国内科学技術者に技術力率先する立場、大工業誌が当リニアベアリングは社会認知されない、間違い特許論だ、は技術精神消滅危機を防ぐ意識する構成とする。
【００１３】
なお、リニア材とベアリング材の機能を介して無線通信ロック動作と乾電池使用する技術転換行う装置を備えた構成になっている（特許文献１参照）。出願２００５−２９２２７０記載に表示継続されて新規性は省略する。なお、リニア材料応用技術急進において社会生活に整合化装置を備えた構成になっている。
【背景技術】
【００１４】
また、生体画像認証技術の発達さし指紋画像・静脈画像・血管画像・血流画像・虹彩画像・顔画像等数十個ある内の１つの認証から利用したシステム増加が非接触ＩＣカードに予め格納された情報と一致のカメラを備え撮影画像を所定され出入管理システムも開発されている（特許文献２参照）。
【特許文献１】特開昭和５７−１６７４８０号公報
【特許文献２】特開２００５−３０１８６１号公報
【発明の開示】
【発明が解決しようとする課題】
【００１５】
本発明は、前記の技術には、例えば虹彩画像・顔画像情報外の生体画像情報の複合生体画像を認証確実する都度一致照合されて個別化とシステム化する出入管理システムに登録されること以外は、所有者生体画像情報、無線送受信を介して直接作動行う、又は虹彩画像、顔画像を玄関ドア等の面を有機ＥＬ画面に画像を用いて登録器映像照合確認する、虹彩画像又は顔画像認証を所定にあって要否する記憶された識別情報から確実による判定された前記画像にのみ予め画像登録装置において映写され一致するときにのみ電子錠と埋込電子錠においてロック解錠又は施錠される作動を行うことにおいて予め映写されたときにのみ作動行い不正防ぐ防犯を提供することを目的とする。
【００１６】
さらに、生体識別から認証を容易に照合された、所有者保有する通行証、社員証、携帯機に２タッチする信頼性に問題があった。
【００１７】
また、建物の内外と室内異常又は最危機異常する防災面と防犯面の情報が異常を瞬秒に識別され判定できる装置を提供することを目的とする。
【００１８】
また、無線受信の忘受データ認証を予め電子錠と埋込電子錠に記憶された識別情報にのみを登録して格納する、この忘防受データに送信する無線送信データの忘送データを所有者常時携帯される通行証、社員証、携帯機、財布、定期券等その他を忘れ防止（増加設置可）に所定された所持品に送信データ認証を記憶された識別情報と、が一致することのみに予め記憶された識別情報を登録して装着される、定めた所持品を通行証、社員証、携帯機面に忘失防止生成されてＯＮ・ＯＦＦ選択決め入力生成される、通行証、社員証、携帯機所有者を通過手前に人体感知遠赤外線センサーによって忘受データと忘送データの通電機能生成され忘送データＯＮを忘受データ、無線受信に忘送データあると、電子錠と埋込電子錠をロック忘れになり忘れ音声と点滅器点灯されて所有者戻ることで音声止と消灯される、なお、必要品ではなく戻ること不要ＯＦＦによって通過する、この数分あと忘送データＯＦＦは自動的にＯＮされて常時忘れ防止安全機能される忘失防止装置を提供することを目的とする。
【００１９】
なお、所持品変更は、忘送データ情報を書換え読取認証されたときのみを予め記憶された識別情報を登録装着されて、通行証、社員証、携帯機にＯＮ・ＯＦＦのＯＦＦ外出数分が、侵入チャンス与える不注意被害防ぐことでＯＦＦを使われないことが安全守るためにカード面に顔転写、身分証明に提供することを目的とする。
【００２０】
また、防災と防犯の電子錠１台４役守ることができる電子錠と埋込電子錠は、家庭と職業の安全と平和を維持される、防災と防犯の機能進歩を数拾個の鍵によって、高性能・高品質を低廉価格材料において不幸被害防ぐことに形成された特徴を提供する。
【課題を解決するための手段】
【００２１】
本発明の接近制御は、生体情報が所有者の生体画像又は日本標準年月日時分秒と記号のいずれかと署名の１つを含む、少なくとも２つを含む構成して通行証、社員証、携帯機の機能具備面の裏に名刺文章を表示することにおいて営業・紹介・打合わせ・会合・挨拶・名刺交換から訪問ときの玄関・出入口・来客受付・室外等の通行証、社員証、携帯機をリーダーライタ接触においてパソコン入力される、このとき名刺情報記録機能、年月日時分・用件など登録事前と事後情報知は便利その他有効化に提供することを目的とする。
【００２２】
また、電子錠と埋込電子錠を玄関ドア、室内、職場の室内などに備えて、なお、火災地震無線送受信端末具備のみの子機を各部屋の天井・壁面などに複数設置して、火災発生情報を無線送受信により生命、建物、財産守ることができる複数防災装置を提供すことを目的とする。
【００２３】
なお、電子錠と埋込電子錠において通行証、社員証、携帯機面の指紋２タッチ装置を所有者登録指で押しもう片方の指紋画像を予め登録されて押すことで電子錠ロック施錠と解錠行う構成とする。例えば、指紋画像２タッチ登録ときは、電子錠、埋込電子錠にその指紋画像を予め登録されて、もう片方の指紋画像を予め登録格した、形成された構成とする。
【００２４】
また、電子錠・埋込電子錠と子機に通行証、社員証、携帯機所有者生体画像を予め登録格納する電子錠と埋込電子錠であってロック施解錠の電子錠ロック複数は、電子錠軽量化と小型化されたことが机、タンス等の小型引出し、ロッカー、パチンコ台等は他人開閉防ぐ安全と個人プライバシー守れる２タッチを形成された構成とする。（また、作業・年齢の個人ありと抵抗などで指紋困難する）
【００２５】
また、ドアロックはドア閉じるとき、自動ドアロックされる、解錠は、電子錠と埋込電子錠の施錠ロックさせる、又は自動ドアロックしない機能は、ドアロック施解錠機能を電子錠と埋込電子錠の施解錠装置ロックされて。電子錠と埋込電子錠は予備乾電池付により常に電源供給され、いつも無線送受信によりロックされる、又は火災緊急施解も、通行証、社員証、携帯機により不能も、火災センサー安否から施錠又は解錠タイマにより自動起動させる要因する形成された構成とする。
【００２６】
なお、複数な各種非接触カードと（例えばキャッシュカードとＡＴＭ機、ショップカードにポイントカード付とレジスター器、乗車券と改札ゲート機）従属的機器に対応されカード紛失も他人使うこと防ぐために被害激減が犯罪ださない社会環境にあって、生体画像情報を成立により大勢の国民助け救える手段と、を形成された構成とする。
【００２７】
また、通行証、社員証、携帯機に所有者の生体情報を予めデータ認証された識別情報にあって記録しておく記録手段により、所有者生体情報を個別に通行証、社員証、携帯機面に予め登録格納される、又は所有者がその生体情報面にタッチされ通行証、社員証、携帯機を無線送受信に接近して無線通信さし、前記電子錠間を他人無線と不正無線妨害防ぐ、接近安全行う、無線照合の所有者２つ目のタッチ手段によって生体情報２重セキュリティを備えた構成とした。
【００２８】
なお、通行証、社員証、携帯機から電子錠と埋込電子錠と子機を紛失等のときに、他人が接近無線送信は不正点滅器点灯される生成によって、紛失も他人不正操作できないという作用を有する。
【００２９】
また、電子錠と埋込電子錠を施解錠される２枚目の通行証、社員証、携帯機によって、２枚目の通行証、社員証、携帯機停止、作成ソフト登録又は削除され問題解決できる形成された構成とする。
【００３０】
また、所有者利用するカードを通行証、社員証、携帯機保持とき、他の部に異動又は転勤あるいはパート期間又は期日ある工事等は、登録窓口にて館内、工場内地区地域又は移動変更先を勤怠業務する情報保存兼ねた登録読取書替え生成する手段を順次できる構成とする。
【００３１】
また、所有者カードをチャージに乗車券読取記憶登録は残金少とき窓口に指紋データ読取記憶登録格納に所有者所持乗車券を置く手段と、を照合確認にあって識別一致されることで２タッチ照合されたときにのみ判定された２タッチ点灯制御され他人不正防ぐ、現金投入合計表示されると所有者乗車券再発行を繰返される構成とする。
【００３２】
なお、乗車券に所有者乗車券手元までは生体画像登録同様手順で省略、乗車利用する目的場所と期間を所定にできる乗降出入口通過され、乗車券面に請求の項１に記載する指紋読取センサー認証装置に指紋画像面を押すと識別一致され精算され点灯制御にあって通過され特徴とした要因される形成された構成とする。
【００３３】
さらに、緊急事態発生とき、電子錠を解錠される予備無線送信機能をオーナー・管理者に預けることで非常事態被害少なく抑えることができる、但し施錠不能は、前記オーナー・管理者の不正入室を防ぐ、緊急解錠あとは管理責任により不正室内被害受けない、安易解錠プライバシー守る安全を備えた構成とする。
【００３４】
なお、ドアと引戸と窓の中間錠に電子錠機能を生成具備手段と電子錠と埋込電子錠に通行証、社員証、携帯機に具備されて無線送受信を介して施解錠又は下位置部分の錠を無線通信の施解制御される加工によって２ロック同時され危機管理生成さし構成の施解錠を特徴とする防犯災電子錠を備えた構成とする。
【００３５】
また、超高層ビル、工場、デパート、ホテル、大会場又は旅客ターミナル、列車改札口等の出入口・ゲート・ドアは防災と防犯と登録データ記憶読取書替管理、登録者通過とき電子錠と埋込電子錠を数拾個の子機をアーチ状部分に数十個設置され無線送受信情報発信照合に通行証、社員証、携帯機２タッチ点灯制御により進める、又は未登録者は係員に確認通過されるビル入館内の階又は号室で火災又は事故ときに、情報警報に従い救助又は避難できる、なお工場内、館内、乗物内において防災防犯発生ときは避難先の誘導状況現場内容を予め電子錠と埋込電子錠に登録記憶に対応した情報警報音声して、避難遅れ在室者に避難非常扉番号の情報に進める人命安全を要因され形成された構成とする。
【００３６】
そして、デパート、ホテル、ビル又は自宅等の完全個室と個人プライバシー保護守る浴室又はトイレのドア上に安全機構装置具備をホテル等大広間天井に火災地震無線送受信端末具備の子機を装飾兼ねた器具上下により火災感知瞬秒ドア・引戸の電子錠と埋込電子錠無線送受信によって大火防ぐ装置に備える。電子錠と埋込電子錠と子機使い方様々に設置される安全成立に形成された構成とする。
【発明の効果】
【００３７】
また、電子錠の小型化と軽量化は、現場にパソコンとリーダライタ組込み装置と通行証・社員証の接触カードをプリントするプリント機に電子錠・埋込電子錠と通行証・社員証を揃え移動する、購入所有者（携帯機持参、家族とも）にその場で購入所有者にパソコンを介して指紋読取センサー認証装置に左右の１指を前記所有者カードと電子錠に指紋データ読取記憶登録格納する、電子錠・埋込電子錠に格納することも実施できる、パソコン入力を直接操作はソフト入力に増減の登録と削除体験にあって施錠と解錠と煙・火を近づけて警報音声器作動体験して安全安心され。虹彩画像と顔画像のいずれかを設置して、虹彩画像と顔画像と指紋画像操作機能設置は完全完璧に近づく現実に対して、高精度、高品質、超小型化され技術進歩が国内・国外共に競争激化される、社会環境変化して防災と防犯機能成立と失業減さし救済増を目標にして構成する。
【００３８】
また、電子錠と埋込電子錠と子機のロックをリニアテーブルに固定又はベアリングに固定生成手段と、を小型化・軽量化された構成は超微少電化・材料超微量化が廉価を図れる、室内側面上部に設けることで電子錠と子機の底面に防災機能を具備して、防災と防犯の２つの情報を備えることで双方有効される多く技術転換を国内・外国も被害減される。特に最重要関係は口・鼻・目・皮膚の最重大事故被害甚大な影響する身体神経防ぐ機能を備える。
【００３９】
なお、通行証、社員証、携帯機で電子錠と埋込電子錠に接近無線を他人操作は不正情報発信と点滅器点灯して不正防ぎ犯罪出さない社会になることが被害者激減、なお通行証、社員証、携帯機紛失は、拾った者が無線送受信瞬間に不正無線通信によって不正操作を防ぐ機能を備えた構成とする。
【発明を実施するための最良の形態】
【００４０】
図１の例では、この発明の実施例に係る非接触カードの通行証１０、社員証１１に携帯機１２の所有者１３、指を指紋画像面２０により所定された要否にして判定において識別一致２１したときに１タッチ点灯制御２２されて指紋認証又は暗証番号・記号読取センサー認証装置２３において予め指紋認証又は暗証番号・記号読取記憶登録格納２４にさし、指紋認証困難な場合があって、暗証番号・記号又は病歴を登録格納として、この格納を２タッチシステムに図り成立さす要因に所有者１３の識別一致２５に照合して２タッチ２６を無線送受信電子錠６１に無線通信介して、建物、室内、ドア、引戸９０を無線防災防犯電子錠６０と無線送受信防災防犯施解錠装置６１によって建物、室内、ドア、引戸、門扉９０を施解錠さす施錠制御６２又は解錠制御６３に作動される。
【００４１】
火災状態に対して、火災地震施解錠端末６６においてロック解錠６８又は施錠６７さす防災防犯施解錠電子錠６１において作動できる、また、室内不在を電子錠装備機能室内も鎮火ロック施錠６７又は地震震度０ロック施錠６７を、停止機能さすことによって、入室する、ドア、引戸、門扉９１を手動開けることができる。
【００４２】
煙暗闇を避難出口に直光誘導点灯に向って直進できる直光誘導灯器１０８を構成にする。
【００４３】
図２の例では、指紋画像面２０、識別一致２１、１タッチ点灯制御２２、指紋認証又は暗証番号・記号読取センサー認証装置２３、指紋認証又は暗証番号・記号読取記憶登録格納２４、識別一致２５、２タッチ２６は図１に重複とし省略する。通行証１０、社員証１１、携帯機１２を介して図１と同一機能とし作動と操作されることを図れる。
【００４４】
また、来訪者道案内情報に火災とき動転も消防１１９番又は事件とき警察１１０などに道案内できない問題を住所氏名、火災情報・事件情報を説明、道説明、車両進入などを録音とし到着待つ安全安心。来訪者の道案内は、受付係・個人は、電車系統線・下車駅でエレベータ・エスカレータ・階段・トイレ（訪問前に）位置と改札口出る左右・建物や看板、信号ツ目、昇り下り坂・階段、乗車前・中間・後、出口番号。事務所は受付・係ボタン・インタホーンの方法・ビル名称・階数等詳細。  個人宅は集合住宅・分譲住宅・密集住宅地区など詳細説明を録音は双方便利する。
【００４５】
同姓同名多い地区・日中も古い表札・夜は聞く相手ナシ状態はドア、引戸、門扉、門柱１０５に目印として目印器１０２点灯を所有者１３により点灯又は消灯１０１タッチする、なお、星花柄・スポーツ・動植物の模様美術ある近代的感覚の進歩さす構成にする。
図３の例では、火災と地震の震度強において、地震火災防犯無線送受信部６５内臓の炎・熱・煙・有毒ガスセンサー感知・検出され、火災警報器・直下点灯器・点滅灯器・回転灯火器など点灯と音声しらせる、瞬秒ドア、引戸、門扉９０を火災地震施解錠端末６６においてロック解錠６８作動と火災地震防犯無線送受信開閉装置６４作動において、内部者避難と外部から初期消火、救助、応援活動によって被害防ぐ又は減で済む構成にする。
【００４６】
図４の例では、ドア、引戸、門扉９０の中間に電子錠を埋込加工とする無線送受信防災防犯埋込電子錠６９を設けて図１、図２と同一機能動作を具備した構成にする。
【００４７】
図５の例では、会社、個人宅においてセキュリティシステムにさし虹彩画像３２に登録器３５を虹彩登録器ケース３６に収納して使う、また、顔画像３３に登録器４５を顔画像登録器ケース４６に収納して使う、この登録所有者１４は、虹彩画像・顔画像電子錠装置７８により、図１、図２と同一機能動作を具備した構成にする。
【００４８】
また、手の甲血管画像３０と手の掌血管画像３１をリーダライタ・組込端末４８により登録所有者１４から四次元的セキュリティを完璧に近い形成する構成にする。
【図面の簡単な説明】
【００４９】
【図１】本発明に係る指紋認証登録格納から無線通信による電子錠システムの概略構成を示すブロック図である。
【図２】図１の指紋認証登録格納における無線電子錠により施解錠する動作例を説明構成を示すブロック図である。
【図３】図１における指紋認証登録格納から出入と火災地震とドアなど施解錠システムの構成を示すブロック図である。
【図４】図１における指紋認証登録格納から出入と火災地震とドアなど施解錠の構成を示すブロック図である。
【図５】図１における指紋認証登録格納から出入と火災地震とドアなどの構成を示すブロック図である。
【符号の説明】
【００５０】
通行証―１０、  社員証―１１、  携帯機―１２、  所有者―１３、  登録所有者―１４、指紋画像面―２０、  識別一致―２１、  １タッチ点灯制御―２２、  指紋認証又は暗証番号・記号読取センサー認証装置―２３、  指紋認証又は暗証番号・記号読取記憶登録格納―２４、  識別一致―２５、  識別一致―２６、  ２タッチ点灯制御−２６、  手の甲血管画像―３０、手の掌血管画像―３１、  虹彩画像―３２、  顔画像―３３、  虹彩画像・顔画像移行装置―３４、  登録器―３５、  虹彩登録器ケースー３６、  虹彩画像・顔画像固定装置―４４、  顔画像登録ケースー４６、  虹彩画像・顔画像映写装置―５４、  有機ＥＬシート板―５５、  無線施解錠装置―５９、  無線防災防犯電子錠―６０、  無線送受信防災防犯電子錠―６１、  施錠制御―６２、  解錠制御―６３、  火災地震防犯無線ドア、引戸、門扉開閉装置―６４、地震火災防災防犯無線送受信部―６５、  火災地震施解錠端末―６６、  ロック施錠―６７、  ロック解錠―６８、  無線送受信埋込電子錠―６９、  虹彩画像・顔画像電子錠装置―７８、  建物、室内、ドア、引戸、門扉―９０、  ドア、引戸、門扉―９１、  点灯 / 消灯―１０１、  目印―１０２、  電光飾器―１０３、  電飾器―１０４、  ドア、引戸、門扉、門柱―１０５、  忘失防止装置―１０６、  出入口、ゲート、ドア、引戸、門扉―１０７、  直光誘導灯器―１０８、  道案内―１１９、  人物―２００、
【図１】
2008163673.tif 000003
【図２】
2008163673.tif 000004
【図３】
2008163673.tif 000005
【図４】
2008163673.tif 000006
【図５】
2008163673.tif 000007
【手続補正書】
【提出日】平成19年1月15日(2007.1.15)
【手続補正１】
【補正対象書類名】特許請求の範囲
【補正対象項目名】全文
【補正方法】変更
【補正の内容】
【特許請求の範囲】
【請求項１】
非接触カードの通行証、社員証、携帯機と電子錠と埋込電子錠を介して出入口・ゲート・ドア通過は、１タッチ照合に前記通行証、社員証、携帯機所有者手の甲血管画像又は手の掌血管画像認証登録さす、また、病歴認証登録さすことにおいて所有者事故・事件ときの緊急事態を所有者同様に代理人認証登録により安全性有用さし、所有者指指紋画像から左右複数の指紋画像のいずれかの特徴ある１指指紋画像データ認証の１つを所定において要否する識別された確認を確実することを判定され認証ときにのみ行う手段とを通行証、社員証、携帯機面に具備設けた指紋読取センサー認証装置に前記所有者１指紋面部分を置く又はスライドによって識別一致したときのみ指紋データ読取記憶と年月日時分秒・記号登録格納されたことにより予め記憶された識別情報を通行証、社員証、携帯機と電子錠と埋込電子錠に登録格納生成された、前記指紋データ認証を記憶された識別情報とが予め記憶されたことが確実に認証一致したときにのみ１タッチ点灯する点灯制御において１タッチ格納を成立する手段と、を２タッチ機能は、通行証、社員証、携帯機面に指紋画像面具備され、前記所有者登録指を指紋画像面に置くことによって前記所有者認証を予め記憶された識別情報と、が確実に認証一致照合されたときにのみ前記所有者指紋データ読取記憶登録格納を確認されることにより２タッチ点灯されて確認と、を前記錠に予め格納の指紋データ読取記憶登録格納に２タッチ一致点灯された２タッチ点灯制御にあって出入口・ゲート・ドアを通過されるときにのみ２タッチ格納を成立とされることを要因さし形成された構成であることを特徴とする防災防犯電子錠。
【請求項２】
２タッチ機能実行は電子錠と埋込電子錠を設置した請求項１の出入口を通過について、前記所有者保持に具備する無線装置側を電子錠と埋込電子錠に向けて前記所有者は指紋画像面に１タッチにより点灯する１タッチ点灯制御して指紋データ読取記憶登録格納から識別一致により２タッチ点灯する２タッチ点灯制御して前記所有者指紋データ読取記憶登録格納を一致照合生成より２タッチ成立手段されて外者無断立入り防ぐ、また、所有者施錠ボタンタッチ施錠制御と、解錠ボタンタッチ解錠制御された手段とを前記所有者が指を置く又はスライドにより通過、館内、室内に入退室して選択情報を識別される手段を行う、オープンフロアも識別されて個別コーナーにより前記出入口を通過されたことを要因発生する形成された構成であることを特徴とした防災防犯電子錠。
【請求項３】
前記所有者が電子錠に向けて無線送受信されドア施錠ボタンタッチによりロック施錠と、ドア解錠ボタンタッチによりロック解錠を施解錠制御と停止手段により玄関等に前記電子錠と埋込電子錠設置は帰宅解錠され挨拶音声器の挨拶迎えと直下灯器点灯され足元明り、又はドア、引戸枠にＬＥＤを配線状・ホース状・シート状貼り、所有者指タッチによって一致ときにのみＬＥＤ点灯によりラッチハンドル明るく照明迎えを前記カード面にスイッチ等複数タッチ要因発生を機能具備された手段を形成された構成であることを特徴とした防災防犯電子錠。
【請求項４】
前記電子錠と埋込電子錠のドアロック忘れ防止は、前記電子錠と埋込電子錠に無線受信メモリ認証を予め記憶された識別情報にのみ登録して格納する、通行証、社員証、携帯機、財布、所持品をカード面に無線送信メモリＯＮ・ＯＦＦ入力する、不要はＯＦＦに切換通過する、またカード面に顔転写身分証明、名刺情報記録端末、忘れ所持品ときは、通過前に人体感知遠赤外線センサー具備生成手段と、をロック施錠忘れ・財布忘れ・所持品忘れのいずれかを忘れて通過ときに前記電子錠と埋込電子錠の音声忘れ警報と点滅器点灯してドアロック忘れ、通行証、社員証、携帯機忘れ、財布忘れ、所持品忘れに通行証、社員証カード入付忘れ、忘失防止装置にあって生成手段と、を形成する構成であることを特徴とした防災防犯電子錠。    
【請求項５】
ドアロック作動をリニア材又はベアリング材に技術が前記電子錠と埋込電子錠を小型化、軽量化にあって微省電力化により前記電子錠をドアの室内側面上部に備えたことで前記電子錠底部に地震火災無線送受信部、警報器、防災防犯施解錠制御、火災地震防犯開閉装置、直光誘導灯器、火災地震無線送受信端末を設置場所によりいずれかを選択組合せ具備生成され手段によって建物内に、室内に、防災情報されボヤ消火で済む、また、ビル間不正侵入破壊の音と振動は子機検知被害防ぐ、さらに最危険な防災情報の人体危険与える有毒ガス又は化学反応神経機能などの情報を装備に選択組合せて、電子錠、埋込電子錠、子機に具備手段により建物内外にも大惨事ない要素を防ぐ形成を有することを特徴された防犯災電子錠。
【請求項６】
前記火災発生情報にして火災所定レベル判定外とされた緊急事態情報とき、ドアロック解錠を識別された判定する生成と、ドアロック施錠を識別された判定されて、電子錠、埋込電子錠作動を因る情報データ認証を予め記憶された識別情報にのみ登録格納され、更に最緊急事態情報を瞬秒争うときのみ火災地震施解錠によりドアをロック解錠制御と火災地震防犯開閉によりドア開ける、火災地震ドア・引戸・門扉施解錠を判定された生成手段と、を在室者又は熟睡者又は通行者に知らせる手段と、隣室又は上下階に救出又は消火応援求める、火災発見して炎・熱・煙・有毒ガスセンサーと警報音声は地震火災無線送受信部されて、この防災機能のいずれかを組合せ電子錠と子機に具備生成とし、直下灯器、点滅灯器、回転灯器、直光誘導灯器具備され無線通信によって送受信される、手段により1室単位設置される、また子機数機を大広間の天井に上下自動設置によりボヤ又は出火発生瞬秒ドア電子錠と埋込電子錠に無線送信して緊急避難情報を判定されて行動実行手段と、を生命不幸な大火を防ぐことができることを特徴とされた防災防犯電子錠。  
【請求項７】
予備乾電池具備生成手段と、を電子錠と埋込電子錠と子機にＡＣとアダプタＤＣ使用され、電源必要機器全てに予備乾電池具備する、ドア・引戸・門扉開け又は閉め作動と火災地震開閉に設置されて、地震警報され地震不幸・惨事防ぐ地震の震度０になった、火災鎮火とき、室内不在とロック解錠操作機能を所有者室内置き飛出し状態もロック自動施錠をロック施錠停止、所有者手動開け室内入り、ロック施錠止機能を平常さす、操作と機構の文と図省略、客船、貨物船、タンカーなど船舶火災を船内の通路、出入口、ドア、引戸に電子錠、埋込電子錠、子機設置を現存船舶から建造中、建築中、なお、山火事救う無線送信と煙、炎、熱感知センサー内臓の防水子機大量大木に配置吊下げ発生即時無線情報をパソコン位置情報はヘリコプター低空キーポイント点位置に水、消火剤散布と陸上より完全消火活動で大火防ぐ特徴とされた防災防犯電子錠。
【請求項８】
虹彩認証画像又は顔認証画像を有機ＥＬシート面に虹彩画像又は顔画像移行装置面を映写ときにのみ所有者指タッチすることで水平動・平行動により電子錠と埋込電子錠ロック施解錠制御又は解錠制御される虹彩認証、顔認証される機能において地震火災無線送受信され、前記虹彩認証画像又は顔認証画像においてロック作動する装置に全て予備乾電池具備生成する手段において生命・財産・建物を守る、また、熊鹿猪猿等は山に戻す警報音だす防水子機配置、無人倉庫・学校や田畑果実被害防ぐ安全を特徴とされた防災防犯電子錠。
【請求項９】
なお、虹彩画像登録器又は顔画像登録器に予め登録記憶格納された２つの登録器のいずれかを確実に認証一致されたとこにのみ施解錠制御又は解錠制御して虹彩認証、顔認証機能に完全セキュリティに２画像を一致されたときにのみに前記電子錠と埋込電子錠施解錠により成立されてドア・引戸・門扉に設けて、所有者通行証、社員証、携帯機無線送受信において照明点灯明るく登録器確認便利にされ、他人防ぐ完全を図り、また、２つの登録器を固定されて所有者位置に備えて、なお、電飾器の壁塀、フエンスに接触点灯と遠赤外線暗視防犯CCDカメラ作動は照明録画明確され不正者逃げる安全、なお、来訪者に乗物・道路など道案内を詳細録音とし受付・個人により説明、なお、警察１１０、消防１１９も同様に録音とし動転不案内減さす、目印点灯・電光飾方向に進める案内灯になり、ドア・引戸・門扉に美術感を与える特徴とされた防災防犯電子錠。
【手続補正２】
【補正対象書類名】明細書
【補正対象項目名】全文
【補正方法】変更
【補正の内容】
【発明の詳細な説明】
【技術分野】
【０００１】
本発明は、通行証、社員証、携帯機に無線通信する送受信を介して電子錠ロック水平動・埋込電子錠ロック回転動によりロック施錠制御と解錠制御する無線施解錠装置は多機種ある無線キーレス機能又はソレノイド機能から選択整合する機能を組合しロック作動に具備手段と、を会場内、館内、室内等に在室又は退室の在退室装置具備した電子錠と埋込電子錠を出入口・ゲート・ドア・引戸機能に関する。
【０００２】
さらに、電子錠・埋込電子錠のロック作動にリニア材又はベアリング材を用いて、電子錠ロック作動が超微電力化、軽快動する超少量材料化、小型化、軽量化され、炎・熱・煙・有毒ガスは防災センサー端末に具備と共に防災情報と防犯情報に複数共有効果され、施錠制御と解錠制御の装置に関する。
【０００３】
また、防災と防犯又は双方に緊急情報ときに停電、断線も乾電池格納具備され、電子錠と埋込電子錠を施錠又は解錠して、防災センサー端末作動して消火救助、避難情報から瞬秒争うときドア解錠としドアと引戸される火災地震防犯開閉装置に関する。
【０００４】
また、電子錠と埋込電子錠を２階以上の数百階の通路側ドアとベランダ側窓の上部に設置して工場・集合事務所・高層ビル群の一室に電子錠と埋込電子錠と子機に無線通信の無線送受信して炎・熱・煙・有毒ガスセンサーのいずれかを設置場所によって必要に応じ組合された防災センサーと火災地震警報、直下灯器、点滅灯器、回転灯器は火災防犯地震無線送受信部に具備生成して戸建住宅・団地の２階・３階等の1室に電子錠と埋込電子錠と子機を設ける手段により火災瞬秒ドアと引戸ロック解錠され、救助に隣室又は上下階からドアと窓開けて初期消火から在室者救助又は避難活動できる人命救助で軽症又は死者激減する被害与えない電子錠と埋込電子錠と子機に通行証、社員証、携帯機を介して、被害減を広く適用に関する。
【０００５】
なお、最重要な出入口ドア、窓の上部位置に電子錠を設置して、なお、下部位置に設置について２ロックして、相互無線通信され施解錠手段として通過者は通行証・社員証・携帯機においてタッチ瞬時に相互一致の照合、電子錠と埋込電子錠ロック解錠と施錠に無線施解錠具備行うことで、不正タッチは即警告と点滅器点灯によりドア・窓に不正防ぐことに関する。
【０００６】
さらに、煙と熱は最高精度・最高品質の超小型赤外線サーモグラフィにより熱画像機能から所定熱温度以上を検知、防災防犯機能生成する手段によりドアロック解錠する、最重要機密室には出入口・ゲート・ドアに人体危険感知され化学異臭検知して、爆発性物質等有害危険物質はバイオセンサー敏捷に反応検知と神経有毒ガス又は電極、半導体素子等の融合発生を検知され瞬秒争う電子錠と埋込電子錠によりドアと引戸開閉装置と接近危険警報と超高輝度ＬＥＤ点滅灯器点灯する機能され通行証、社員証、携帯機に所有者は指画像面タッチによって生命・身体・財産守る防災に関する。
【０００７】
なお、遠赤外線ＣＣＤ組み合わせガス漏れ画像検出又はチューナブルＱＣとＥＣレーザー走査に超赤外線カメラ組み合わせガス漏れ画像検出の技術転換は瞬争によって電子回路端末に無線情報の異常事態、緊急警報の救助侵入禁止、防毒具着用、超高輝度ＬＥＤ点灯、超小型赤回転灯により外部異常知の効果発揮と断続サイレン超高音で隣室と上下階室に情報して最重要建物内外、室内外も、噴霧視界０数値と無音数値０する化学有害合成は、目・口・鼻・皮膚などに空気感染から精神と神経被害は人間生命限界の無防備を防ぐ電子錠装置に関する。
【０００８】
また、前記超高層ビル、また、建築ビル、集合住宅、分譲住宅、マンション、戸建住宅とき子機多数設置においては外側窓又はドアに具備され電子錠設けて外部に回転超高輝度ＬＥＤと高輝度ＬＥＤ点滅灯され付近ビルに視聴知発見は初期消火・救助・避難情報装置に関する。  
【０００９】
従来の建物内、室内の入退室又は会場の出入口・ゲート・ドアに防犯機能は識別情報と一致照合で行っていた。電子錠と埋込電子錠と子機、通行証、社員証、携帯機に生体登録照合が知られている。防犯機能する施解錠に関してはない。
【００１０】
なお、地震情報を無線通信によって電子錠と埋込電子錠に地震無線送受信装置具備生成することにおいて地震情報震度４以上はドア・引戸・門扉・シャッタ等に電子錠・埋込電子錠のロック解錠と鍵レバハンドにラッチ付を電子錠と埋込電子錠の緊急ロック解錠とラッチ解錠機能に加工して直下器点灯、点滅器点灯と地震情報して、地震対策確認する、震度５以上はドア、引戸、門扉、シャッタロック解錠又は開ける開閉装置作動と直下灯器点灯、点滅器点灯と震度危険情報によって夜間寝込んだ在室者を起こすことができる震度０に近づくとドア・引戸・シャッタを閉める開閉装置作動され、数分あとに震度０を確認情報発生同時にドア・引戸・門扉・シャッタにロック施錠と共に直下器点灯と点滅器点灯を消す。開閉装置のドア・引戸は自動であって手足、物品が挟まれる危険性を防ぐ検知センサー取付けと通行証と社員証と携帯機面に停止ボタン具備とスローされた安全性を用いる。地震、火災、台風、強風、豪雨、雪崩、雷・地滑り等により電柱事故、停電、断線は付き物的に発生される。なお、地震震度０又は火災鎮火とき、室内不在とロック解錠操作機能さす所有者が操作装置を室内置き飛出た状態もロック自動施錠をロック施錠停止、所有者手動開け室内入り、ロック施錠止機能を平常さす（操作と機構の文と図省略）ことにより電子錠不便問題解決する家庭と、職場とに地震と火災被害防ぐ地震と火災に関する。
【００１１】
また、電子錠と埋込電子錠においてドアノブラッチを用いてドア・引戸を開ける、この付近に近づくと検知センサーにより鍵穴明るくされるＬＥＤシート点灯され開閉錠できる、また、明るくなるために不正防止できる事と、ドア、引戸の縁又は枠にＬＥＤ配線状又はシート又ホース状を貼付けて、通行証・社員証・携帯機面にＬＥＤシート点灯制御されて所有者指タッチで点灯によってドア・引戸明るく迎えされる、集合住宅、分譲住宅のドア・引戸に用いることで他人宅の間違い減、ＬＥＤシートをドア・引戸等を加工において外観近代的イメージ転換をＬＥＤの色と模様型変化されてメンテナンス不要、さらに電飾・電光飾（イルミネーション）クリスマス・正月・祭り等の時期点灯は楽しみと不正防止に関する。
【００１２】
また、外国に広がるリニア材とベアリング材は、スリーブ抵抗面減が巨大重量物を超小型モータ省電において作動できる。技術転換品多いことは外国技術着眼される現実知る国内科学技術者に技術力率先する立場、大工業誌が当リニアベアリングは社会認知されない、間違い特許論だ、は技術精神消滅危機を防ぐ意識する構成とする。
【００１３】
なお、リニア材とベアリング材の機能を介して無線通信ロック動作と乾電池使用する技術転換行う装置を備えた構成になっている（特許文献１参照）。出願２００５−２９２２７０記載に表示継続されて新規性は省略する。なお、リニア材料応用技術急進において社会生活に整合化装置を備えた構成になっている。
【背景技術】
【００１４】
また、生体画像認証技術の発達さし指紋画像・静脈画像・血管画像・血流画像・虹彩画像・顔画像等数十個ある内の１つの認証から利用したシステム増加が通行証、社員証の非接触ＩＣカードまた、携帯機と電子錠、埋込電子錠に予め格納された情報と一致のカメラを備え撮影画像を所定され出入管理システムも開発されている（特許文献２参照）。
【特許文献１】特開昭和５７−１６７４８０号公報
【特許文献２】特開２００５−３０１８６１号公報
【発明の開示】
【発明が解決しようとする課題】
【００１５】
本発明は、前記の技術には、例えば虹彩画像・顔画像情報外の生体画像情報の複合生体画像を認証確実する都度一致照合されて個別化とシステム化する出入管理システムに登録されること以外は、所有者生体画像情報、無線送受信を介して直接作動行う、又は虹彩画像、顔画像を玄関ドア等の面を有機ＥＬ画面に画像を用いて登録器映像照合確認する、虹彩画像又は顔画像認証を所定にあって要否する記憶された識別情報から確実による判定された前記画像にのみ予め画像登録装置において映写され一致するときにのみ電子錠と埋込電子錠においてロック解錠又は施錠される作動を行うことにおいて予め映写されたときにのみ作動行い不正防ぐ防犯を提供することを目的とする。
【００１６】
さらに、生体識別から認証を容易に照合された、所有者保有する通行証、社員証、携帯機に２タッチする信頼性に問題があった。
【００１７】
また、建物の内外と室内異常又は最危機異常する防災面と防犯面の情報が異常を瞬秒に識別され判定できる装置を提供することを目的とする。
【００１８】
また、無線受信の忘受データ認証を予め電子錠と埋込電子錠に記憶された識別情報にのみを登録して格納する、この忘防受データに送信する無線送信データの忘送データを所有者常時携帯される通行証、社員証、携帯機、財布、定期券等その他を忘れ防止（増加設置可）に所定された所持品に送信データ認証を記憶された識別情報と、が一致することのみに予め記憶された識別情報を登録して装着される、定めた所持品を通行証、社員証、携帯機面に忘失防止生成されてＯＮ・ＯＦＦ選択決め入力生成される、通行証、社員証、携帯機所有者を通過手前に人体感知遠赤外線センサーによって忘受データと忘送データの通電機能生成され忘送データＯＮを忘受データ、無線受信に忘送データあると、電子錠と埋込電子錠をロック忘れになり忘れ音声と点滅器点灯されて所有者戻ることで音声止と消灯される、なお、必要品ではなく戻ること不要ＯＦＦによって通過する、この数分あと忘送データＯＦＦは自動的にＯＮされて常時忘れ防止安全機能される忘失防止装置を提供することを目的とする。
【００１９】
なお、所持品変更は、忘送データ情報を書換え読取認証されたときのみを予め記憶された識別情報を登録装着されて、通行証、社員証、携帯機にＯＮ・ＯＦＦのＯＦＦ外出数分が、侵入チャンス与える不注意被害防ぐことでＯＦＦを使われないことが安全守るためにカード面に顔転写、身分証明に提供することを目的とする。
【００２０】
また、防災と防犯の電子錠１台４役守ることができる電子錠と埋込電子錠は、家庭と職業の安全と平和を維持される、防災と防犯の機能進歩を数拾個の鍵によって、高性能・高品質を低廉価格材料において不幸被害防ぐことに形成された特徴を提供する。
【００２１】
本発明の接近制御は、生体情報が所有者の生体画像又は日本標準年月日時分秒と記号のいずれかと署名の１つを含む、少なくとも２つを含む構成して通行証、社員証、携帯機の機能具備面の裏に名刺文章を表示することにおいて営業・紹介・打合わせ・会合・挨拶・名刺交換から訪問ときの玄関・出入口・来客受付・室外等の通行証、社員証、携帯機をリーダーライタ接触においてパソコン入力される、このとき名刺情報記録機能、年月日時分・用件など登録事前と事後情報知は便利その他有効化に提供することを目的とする。
【００２２】
また、電子錠と埋込電子錠を玄関ドア、室内、職場の室内などに備えて、なお、火災地震無線送受信端末具備のみの子機を各部屋の天井・壁面などに複数設置して、火災発生情報を無線送受信により生命、建物、財産守ることができる複数防災装置を提供すことを目的とする。
【００２３】
なお、電子錠と埋込電子錠において通行証、社員証、携帯機面の指紋２タッチ装置を所有者登録指で押しもう片方の指紋画像を予め登録されて押すことで電子錠ロック施錠と解錠行う構成とする。例えば、指紋画像２タッチ登録ときは、電子錠、埋込電子錠にその指紋画像を予め登録されて、もう片方の指紋画像を予め登録格納に提供することを目的とする。
【００２４】
また、電子錠・埋込電子錠と子機に通行証、社員証、携帯機所有者生体画像を予め登録格納する電子錠と埋込電子錠であってロック施解錠の電子錠ロック複数は、電子錠軽量化と小型化されたことが机、タンス等の小型引出し、ロッカー、パチンコ台等は他人開閉防ぐ安全と個人プライバシー守れる２タッチを（また、作業・年齢の個人ありと抵抗などで指紋困難する）提供することを目的とする。
【００２５】
また、ドアロックはドア閉じるとき、自動ドアロックされる、解錠は、電子錠と埋込電子錠の施錠ロックさせる、又は自動ドアロックしない機能は、ドアロック施解錠機能を電子錠と埋込電子錠の施解錠装置ロックされて。電子錠と埋込電子錠は予備乾電池付により常に電源供給され、いつも無線送受信によりロックされる、又は火災緊急施解も、通行証、社員証、携帯機により不能も、火災センサー安否から施錠又は解錠タイマにより自動起動させる要因する形成に提供することを目的とする。
【００２６】
なお、複数な各種非接触カードと（例えばキャッシュカードとＡＴＭ機、ショップカードにポイントカード付とレジスター器、乗車券と改札ゲート機）従属的機器に対応されカード紛失も他人使うこと防ぐために被害激減が犯罪ださない社会環境にあって、生体画像情報を成立により大勢の国民助け救える手段に提供することを目的とする。
【００２７】
また、通行証、社員証、携帯機に所有者の生体情報を予めデータ認証された識別情報にあって記録しておく記録手段により、所有者生体情報を個別に通行証、社員証、携帯機面に予め登録格納される、又は所有者がその生体情報面にタッチされ通行証、社員証、携帯機を無線送受信に接近して無線通信さし、前記電子錠間を他人無線と不正無線妨害防ぐ、接近安全行う、無線照合の所有者２つ目のタッチ手段によって生体情報２重セキュリティを備えに提供することを目的とする。
【００２８】
なお、通行証、社員証、携帯機から電子錠と埋込電子錠と子機を紛失等のときに、他人が接近無線送信は不正点滅器点灯される生成によって、紛失も他人不正操作できない作用に提供することを目的とする。
【００２９】
また、電子錠と埋込電子錠を施解錠される２枚目の通行証、社員証、携帯機によって、２枚目の通行証、社員証、携帯機停止、作成ソフト登録又は削除され問題解決に提供することを目的とする。
【００３０】
また、所有者利用するカードを通行証、社員証、携帯機保持とき、他の部に異動又は転勤あるいはパート期間又は期日ある工事等は、登録窓口にて館内、工場内地区地域又は移動変更先を勤怠業務する情報保存兼ねた登録読取書替え生成する手段を順次に提供することを目的とする。
【００３１】
また、所有者カードをチャージに乗車券読取記憶登録は残金少とき窓口に指紋データ読取記憶登録格納に所有者所持乗車券を置く手段と、を照合確認にあって識別一致されることで２タッチ照合されたときにのみ判定された２タッチ点灯制御され他人不正防ぐ、現金投入合計表示されると所有者乗車券再発行を繰返しに提供することを目的とする。
【００３２】
なお、乗車券に所有者乗車券手元までは生体画像登録同様手順で省略、乗車利用する目的場所と期間を所定にできる乗降出入口通過され、乗車券面に請求の項１に記載する指紋読取センサー認証装置に指紋画像面を押すと識別一致され精算され点灯制御にあって通過され特徴とした要因に提供することを目的とする。
【００３３】
さらに、緊急事態発生とき、電子錠を解錠される予備無線送信機能をオーナー・管理者に預けることで非常事態被害少なく抑えることができる、但し施錠不能は、前記オーナー・管理者の不正入室を防ぐ、緊急解錠あとは管理責任により不正室内被害受けない、安易解錠プライバシー守る安全を備えに提供することを目的とする。
【００３４】
なお、ドアと引戸と窓の中間錠に電子錠機能を生成具備手段と電子錠と埋込電子錠に通行証、社員証、携帯機に具備されて無線送受信を介して施解錠又は下位置部分の錠を無線通信の施解制御される加工によって２ロック同時され危機管理生成さし構成の施解錠を特徴とする防犯災電子錠を備えに提供することを目的とする。
【００３５】
また、超高層ビル、工場、デパート、ホテル、大会場又は旅客ターミナル、列車改札口等の出入口・ゲート・ドアは防災と防犯と登録データ記憶読取書替管理、登録者通過とき電子錠と埋込電子錠を数拾個の子機をアーチ状部分に数十個設置され無線送受信情報発信照合に通行証、社員証、携帯機２タッチ点灯制御により進める、又は未登録者は係員に確認通過されるビル入館内の階又は号室で火災又は事故ときに、情報警報に従い救助又は避難できる、なお工場内、館内、乗物内において防災防犯発生ときは避難先の誘導状況現場内容を予め電子錠と埋込電子錠に登録記憶に対応した情報警報音声して、避難遅れ在室者に避難非常扉番号の情報に進める人命安全を要因に提供することを目的とする。
【００３６】
そして、デパート、ホテル、ビル又は自宅等の完全個室と個人プライバシー保護守る浴室又はトイレのドア上に安全機構装置具備をホテル等大広間天井に火災地震無線送受信端末具備の子機を装飾兼ねた器具巻上げ下げにより火災感知瞬秒ドア・引戸の電子錠と埋込電子錠無線送受信によって大火防ぐ装置に備える。電子錠と埋込電子錠と子機使い方様々に設置される安全成立に提供することを目的とする。
【００３７】
本発明は、半導体超電導駆動をシート類又はテープ類に加工してリニアテーブルスライドさし両面部位の両側に装着具備され、リニアテーブル動も耐腐食性、耐溶剤性、断電性と海水海岸、船内・外、耐寒地方と地区で長期間に金属磨耗、腐食・結露・耐溶剤・断電又は油膜粘着凍結塊は作動停止不能とき手動鍵開かない、潤滑油不要、ノンメンテナンス、ベアリングを介してリニアテーブル動にリニア材料とベアリング材料利用率０件が活発される電子錠と埋込電子錠と通行証、社員証、携帯機に提供することを目的とする。
【００３８】
そして、従来の施解錠機構は、大型化競う消費電力多かった、電子錠・埋込電子錠の電源は交流・直流・充電式手段も予備乾電池具備する手段とし、残量電量不足ときに停電・断線・ショートし解錠不能、在室中閉じ込めなく安心され、また地震・台風・雷・豪雪・雪崩・土砂崩れなどで通電不能は予備乾電池にして電源切替えされることを提供する構成とする。
【００３９】
また、障害者優先される操作ロック施解錠がなく不便は常識する社会課題あり、特に防災と防犯に対応する装置で解決に凹凸と点字を用いてロック施解錠に便利を与えることがでる又は機能がないと、電子錠と埋込電子錠と子機と通行証、社員証、携帯機で解決する装置又は誤作動と点検テストは特殊構造も簡単に作動できる構造する、不便な現実を合理的便利にする、他人不正を防止されるロック施解錠される、方法を障害者が一番必要に対し超小型電子錠・埋込電子錠・子機とカード等も超破格奉仕的に低額を目的にする。
【００４０】
なお、電子錠、埋込電子錠をドア・引戸・門扉の建具に埋込電子錠にするときも予備乾電池具備と子機情報送受信装着具備と地震無線送受信装置具備生成する埋込電子錠加工される、又は現在の建具に加工による埋込電子錠にされて天災と防災防犯被害防ぐ複合化された構成とする。
【００４１】
なお、引出し、引戸、観音開き等の家庭に、職場に、家具類、調度品、設備用品に、小型電子錠を設けて通行証、社員証、携帯機においてロック施解錠により、又は地震無線送受信にされて小型開閉装置により地震揺れ開き、棚より落下防ぐ装置に提供することを目的とする。
【００４２】
なお、ドア、引戸、門扉の縁・枠とレバ・ノブ縁に豪華絢爛な工芸美術の装飾図を細工加工と電光装飾点灯は次元始めに備えに提供することを目的とする。
【００４３】
また、防災装置と超高輝度ＬＥＤ直下灯器点灯とＬＥＤ点滅灯器点灯とＬＥＤ回転灯器点灯する、火災を熱感知センサーは火災発生と高輝度ＬＥＤ点滅灯器点灯とドアロック解錠する又は同時にドア開け防止、（ドア閉めときは人体触遠赤外線感知センサーにより一時停止と緊急退去情報）火事警報と光で初期消火、情報発信、火災の炎検知する超小型遠赤外線ＣＣＤ装備は、炎画像から初期火災緊急瞬間に火災発生警報と超高輝度ＬＥＤ点灯とＬＥＤ点滅灯器点灯とドアロック解錠とドア開放により救助協力活動に在室緊急救助される、数秒間、最大重要空間を有事効果される、災害電源断線と停電も電源予備乾電池具備により活躍ある電子錠と埋込電子錠と子機は生命・身体・重要物、建物等を守る防災性など確実に確保、惨事防ぐ機能に提供することを目的とする。
【００４４】
また、超豪華客船、貨物船、タンカー、国を守る船舶、大・中・小の船舶、湾内遊覧船、釣り船等の船内火災は、座礁以上に大惨事を防ぐ海岸・船内外の海水防水電子錠・埋込電子錠・子機に無線通信により出火瞬秒に場所番号警報さし、正確現場直行が初期消火が生命と船舶守る構成とする。
【００４５】
なお、この船舶は、全船員が生体認証登録と船舶専用電子錠・埋込電子錠・子機設置船舶の目印旗と目印点滅灯付を船首・中間・船尾に超高輝度ＬＥＤ点灯において５Ｋ以内に船舶接近する不正船に対し警告する、無視接近同時無線情報とエンジン停止・錨おろす、船内出入全て施錠する不正乗取り、物品略奪防ぐ構成とする。
【課題を解決するための手段】
【００４６】
また、非接触カードの病歴データ又はレントゲンを解析処理・暗証数値化・画像の参照光の波長干渉乱数波長を解析処理・暗号処理・暗号記号変換帯域ナノ圧縮登録ＩＣチップ意識不明、瞬争事態とき無線情報照合を提供することができる。
【００４７】
なお、通行証、社員証、携帯機無線通信によって電子錠ロック施解錠の電源は交流・直流・充電式取付けできる、交流のアダプタジャック口を設ける、なお電子錠ケース外装にロック作動口と反対側にロック手動する又は点検と誤作動止ときに細い棒等の差込口と内蔵アンテナ口と機能に応じた超高輝度ＬＥＤを生成の構成する、底面部分は火災地震無線送受信装置され最重要な要素生成手段と、を乾電池の組合せ用いて無線通信で施解錠の施解錠制御の機器を備える構成に提供することができる。
【００４８】
また、電子錠・埋込電子錠・子機（各フイルムアンテナ内蔵）と通行証・社員証・携帯機間に送受信端末によって請求項４のロック施錠を忘失防止状態において通過することは、ロック施錠なし状態検知センサー作動は、未ロック情報の手段とし、忘れ気付きロック施錠できることで施錠忘れ防止の通行証、社員証、携帯機と財布を付着されることは、２つの日常携帯所持品に最有効化する現金不所持防犯性と計算経済面を確実に確保できる安全施錠実施する手段とし、特に外国はロック施錠忘れ問題被害多くロック忘れのパトカーと警官出動減を構成された手段を提供することができる。なお、通行証・社員証・携帯機のタッチ機能される面の反対側面に顔画を転写によって所有者自身を照合一致見える識別された身分証明有効により構成されたことに提供することができる。
【００４９】
さらに、深夜３階建住宅の２階出火も熟睡の他階は火の海から隣家延焼防ぐ、地震・火災は停電する、事前準備に生命と安全優先に豪華玄関ドアは数百年使える顔とされたドア破壊数時間のため気付いても逃げ遅れ不幸被害減に各室ドア・引戸・雨戸・シャッタに開閉装置、各室に子機、ドアと窓に火災地震無線送受信端末、火災地震開閉装置、地震火災ロック施解錠装置具備する電子錠・埋込電子錠・子機設置により生命、建物、家財守る初期消火はボヤ被害で済む手段を提供することができる。
【００５０】
なお、防犯の事件・事故の１１０番情報又は防災の火事情報１１９番瞬時では動転冷静不可事態は説明困難を、住所・氏名・火災・建物又はビルと集合住宅階数、戸建住宅・部屋と階数・障害者と子女・病弱・高齢者と寝たきり等・階数内在室から現場までの公共施設と道路名称・交差点・主な目標建物や商店名情報、道路状況は各種消防車両侵入有無、道路幅より障害物・置物・木の枝等通行幅と袋小路情報、特に障害者には福祉・警察等関係者録音協力が最重要、事前に録音又は図説とＦＡＸ生成と構成に１１０番又は１１９番受信側も的確に送信手段に提供することができる。
【００５１】
さらに、電子錠と埋込電子錠に超伝導希土類磁石のＮ・Ｓをシート状又はテープ状に生成手段とし、ロック作動に具備用いる生成手段する機能を組合せ活用社会において高精度、高性能、高品質が諸国、諸技術向上され有効手段に構成を提供する。
【００５２】
なお、地震は震度１・２と来ない、震度５強、６烈震、７激震のいずれかの１つがグラット来た瞬間這っても動けない事態も、電子錠・埋込電子錠においてロック解錠とドア開け装置作動にあってドア・引戸のロック平行器点灯照明において活動できる、子機に地震情報発信することにおいて直下灯器点灯、地震警報情報出す方法を提供する。
【００５３】
なお、地震無線情報をテレビ、ラジオ、有線テレビ等から地震情報発信ときＯＦＦ又は夜間寝込んだときに５強震も暗闇と停電は予備乾電池なしの電子錠は解錠不能になり手探り手動機能を操作する遅れが命取りになる、地震、台風、強風・雷による停電心配不要、ドア解錠とドア開く瞬秒警報と点灯する方法を提供する。
【００５４】
また、賃貸ビル・貸店舗・賃貸アパートマンションの個人的プライバシーと自己責任の防衛する手段とし、補助錠を用いて解錠しない保障薄れた社会は、好奇心で室内見る、物品無断又は生命、身体、監禁、財産の被害から不幸な問題発生も解錠あと施錠されない鍵制御され虐待・イジメから保護守る近隣・関係行政強制入室が人権守る、なお、ドア・引戸・窓の外側火災は、場合によってロック解錠危険、不正者ドア開け誘きを１１０番、１１９番通報安全を選ぶことで他人阻止する安全に施解錠を行うことができる。
【００５５】
さらに、デパート、ホテル・旅館等と料飲食店舗雑居ビル等は建築物の共用部分等に属する出入口・通路・階段・廊下・ベランダ・非常扉等の付近にゴミや荷物・置物類を高く積上げ禁止の常識１個の荷物から恒例化され大惨事巻き込み減、を所定とし置物検知情報に、防災防犯安全ビル・店舗で防災被害激減はお客安心・安全・信頼できる事務所・店舗は業務の向上を図れる防災を構成に提供される。
【００５６】
また、目印電飾器に、ドア・引戸・門扉・門柱・壁塀に２・３個の星・ハート、サッカーボールまた、バラ・菊等造形・植物・動物、模様で赤・青・黄等のＬＥＤ点灯において来客くる近くに点灯は足元・周囲照明は優しい出迎えになる、ドア・引戸のノブ・ハンドル明るくまた、ドア・引戸の上縁に円形等のデザインに電光飾器イルミネーション点滅明るい照明豊かになるドア・引戸・門扉に美術感与える手段と、を防犯安全になり、不正下見も電飾・電光飾付きに不正は避ける守りに平和と安全を図れる手段とした構成された特徴とする。
【００５７】
なお、防犯ＣＣＤカメラの底部分に、電子錠・子機に地震火災無線送受信部を組合せることにより、防災防犯に明るく映像されて、不正環境にあっては不向きにする不正減できる構成に提供される。
【００５８】
虹彩画像又は顔画像にあって、投写は、小型薄型省電化液晶画面と有機ＥＬシート面に虹彩画像器又は顔画像器移行装置面の画像を所有者指タッチにより、ロック施解錠され地震火災送受信装置等その他を電子錠・埋込電子錠具備、前記虹彩画像又は顔画像にされ投写相互一致にあって点灯知ロック施解錠作動さす、全て予備乾電池具備生成する手段に形成する構成とする。
【００５９】
なお、虹彩画像登録器又は顔画像登録器に予め記憶認証を所定によって要否する識別され確認を確実にされたことを判定されたときにのみ行う手段とを登録器に格納されるドア・引戸・門扉に設置さして、所有者は通行証・社員証・携帯機無線送受信において照明点灯にあって識別一致する照合は、他人防ぐ完全な構成された特徴とする。
【００６０】
また、狭いビル空間上空部位に防水子機設け、不正侵入ビル壁破壊音と振動センサー感知、点滅器点灯、警報音により不正犯出さない、事前に両方のビル間に「子機設置」貼ることで不正下見通過する。山火事大火防ぐとき防水子機（設置場所番号）を大木に吊り下げて、煙・炎感知即時無線通信により現場直行消火活動できる。また、熊、イノシシ、鹿、さる被害防ぐとき高音、猛獣音声録音、動物嫌う高音数種類だす、子機被害防ぐ、近づくと針金弱電触れ防ぐ方法の形成する構成にする。
【００６１】
なお、ドア・引戸枠部分に直光誘導灯器設けて、地震火災により出口誘導点灯は、煙の暗闇を火の海に巻き込まれず、煙を吸わず、瞬秒生死を避難される最高に役立つ形成された構成に提供する。
【発明の効果】
【００６２】
また、電子錠の小型化と軽量化は、現場にパソコンとリーダライタ組込み装置と通行証・社員証の接触カードをプリントするプリント機に電子錠・埋込電子錠と通行証・社員証を揃え移動する、購入所有者（携帯機持参、家族とも）にその場で購入所有者にパソコンを介して指紋読取センサー認証装置に左右の１指を前記所有者カードと電子錠に指紋データ読取記憶登録格納する、電子錠・埋込電子錠に格納することも実施できる、パソコン入力を直接操作はソフト入力に増減の登録と削除体験にあって施錠と解錠と煙・火を近づけて警報音声器作動体験して安全安心され。虹彩画像と顔画像のいずれかを設置して、虹彩画像と顔画像と指紋画像操作機能設置は完全完璧に近づく現実に対して、高精度、高品質、超小型化され技術進歩が国内・国外共に競争激化される、社会環境変化して防災と防犯機能成立と失業減さし救済増を目標にして構成する。
【００６３】
また、電子錠と埋込電子錠と子機のロックをリニアテーブルに固定又はベアリングに固定生成手段と、を小型化・軽量化された構成は超微少電化・材料超微量化が廉価を図れる、室内側面上部に設けることで電子錠と子機の底面に防災機能を具備して、防災と防犯の２つの情報を備えることで双方有効される多く技術転換を国内・外国も被害減される。特に最重要関係は口・鼻・目・皮膚の最重大事故被害甚大な影響する身体神経防ぐ機能を備える。
【００６４】
なお、通行証、社員証、携帯機で電子錠と埋込電子錠に接近無線を他人操作は不正情報発信と点滅器点灯して不正防ぎ犯罪出さない社会になることが被害者激減、なお通行証、社員証、携帯機紛失は、拾った者が無線送受信瞬間に不正無線通信によって不正操作を防ぐ機能を備えた構成とする。
【発明を実施するための最良の形態】
【００６５】
図１の例では、この発明の実施の形態に係る非接触カードの通行証１０、社員証１１に携帯機１２の所有者１３、指を指紋画像面２０により所定された要否にして判定において識別一致２１したときに１タッチ点灯制御２２されて指紋認証又は暗証番号・記号読取センサー認証装置２３において予め指紋認証又は暗証番号・記号読取記憶登録格納２４にさし、指紋認証困難な場合があって、暗証番号・記号又は病歴を登録格納として、この格納を２タッチシステムに図り成立さす要因に所有者１３の識別一致２５に照合して２タッチ２６無線通信介して、無線防災防犯施解錠装置６１によって建物、室内、ドア、引戸、門扉９０を施解錠さす施錠制御６２又は解錠制御６３に作動される、なお、超豪華客船・貨物船・タンカーまた、国民守る船舶、大・中小型艇、湾周遊覧船、つり船等の船内通路、階段、出入口、ドア、引戸８８に電子錠と埋込電子錠と子機により火災場所番号音声警報に直行でき初期消化が船内生命守る無線通信施解錠する構成にする。
【００６６】
火災状態に対して、火災地震施解錠端末６６においてロック解錠６８又は施錠６７さす防災防犯施解錠電子錠６１において作動できる、また、室内不在を電子錠装備機能室内も鎮火ロック施錠６７又は地震震度０ロック施錠６７を、停止機能さすことによって、入室する、ドア、引戸、門扉９１を手動開けることができる。
【００６７】
無線防災防犯施解錠装置６１、ドア、引戸、門扉９１、地震火災防犯無線送受信部６５動作瞬秒にロック平行灯器９１点灯と直光誘導灯器１０８点灯する。さらに不正な人物２００が９０と９１の建物、ドア、引戸、門扉又は壁塀面、フエンス、テラス、等に接近することにおいて人物遠赤外線感知センサーにより電光飾器１０３点灯、電飾器１０４点灯又は地震火災防犯無線送受信部６５内臓の照明点灯により不正接近防ぐ機構にする。煙暗闇を避難出口に直光誘導点灯に向って直進できる直光誘導灯器１０８を構成にする。
【００６８】
図２の例では、指紋画像面２０、識別一致２１、１タッチ点灯制御２２、指紋認証又は暗証番号・記号読取センサー認証装置２３、指紋認証又は暗証番号・記号読取記憶登録格納２４、識別一致２５、２タッチ２６は図１に重複とし省略する。通行証１０、社員証１１、携帯機１２を介して図１と同一機能とし作動と操作されることを図れる。
【００６９】
また、来訪者道案内情報に火災とき動転も消防１１９番又は事件とき警察１１０などに道案内できない問題を住所氏名、火災情報・事件情報を説明、道説明、車両進入などを録音とし到着待つ安全安心。来訪者の道案内は、受付係・個人は、電車系統線・下車駅でエレベータ・エスカレータ・階段・トイレ（訪問前に）位置と改札口出る左右・建物や看板、信号ツ目、昇り下り坂・階段、乗車前・中間・後、出口番号。事務所は受付・係ボタン・インタホーンの方法・ビル名称・階数等詳細。  個人宅は集合住宅・分譲住宅・密集住宅地区など詳細説明を録音は双方便利する。
【００７０】
同姓同名多い地区・日中も古い表札・夜は聞く相手ナシ状態はドア、引戸、門扉、門柱１０５に目印として目印器１０２点灯を所有者１３により点灯又は消灯１０１タッチする、なお、星花柄・スポーツ・動植物の模様美術ある近代的感覚の進歩さす構成にする。
【００７１】
図３の例では、火災と地震の震度強において、地震火災防犯無線送受信部６５内臓の炎・熱・煙・有毒ガスセンサー感知・検出され、火災警報器・直下点灯器・点滅灯器・回転灯火器など点灯と音声しらせる、瞬秒ドア、引戸、門扉９０を火災地震施解錠端末６６においてロック解錠６８作動と火災地震防犯無線送受信開閉装置６４作動において、内部者避難と外部から初期消火、救助、応援活動によって被害防ぐ又は減で済む構成にする。
【００７２】
図３の例では、ドア、引戸、門扉９０と出入口、ゲート、ドア、引戸、門扉１０７無線通信端末において、通行証１０、社員証１１、携帯機１２タッチできる、なお、忘失防止装置により１０６建物、館内、室内９０に出入りとドア、引戸、門扉９１を施錠制御６２とロック施錠６７忘れに通行証１０、社員証１１、携帯機１２また、必要な財産、所持品忘れ防ぐ構成にする。
また、の中間に電子錠を埋込加工とする無線送受信防災防犯埋込電子錠６９を設けて図１、図２と同一機能動作を具備した構成にする。
【００７３】
図５の例では、会社、個人宅においてセキュリティシステムにさし虹彩画像３２に登録器３５を虹彩登録器ケース３６に収納して使う、また、顔画像３３に登録器４５を顔画像登録器ケース４６に収納して使う、この登録所有者１４は、虹彩画像・顔画像電子錠装置７８により、図１、図２と同一機能動作を具備した構成にする。
【００７４】
また、手の甲血管画像３０と手の掌血管画像３１をリーダライタ・組込端末４８により登録所有者１４から四次元的セキュリティを完璧に近い形成する構成にする。
【図面の簡単な説明】
【００７５】
【図１】本発明に係る指紋認証を通行証・社員証・携帯機に格納から無線通信による電子錠システムと建物、館内、室内、会場内、船舶内において海上海岸地区錠動作する概略構成を示すブロック図である。
【図２】図１の指紋認証登録格納における無線電子錠により施解錠する動作例システム説明構成を示すブロック図である。
【図３】図１における指紋認証登録格納を通行証・社員証・携帯機さし錠操作忘れ防ぐ、重要所持品忘れ防ぐ出入口無線通信において通過と防災防犯発生防ぐまた、出入と火災地震とドアなど施解錠システムの構成を示すブロック図である。
【図４】ドア、引戸、門扉９０の中間に電子錠機能を埋込加工とする、無線送受信防災防犯埋込電子錠６９（窓機能も同様）を設けて図１図２と同一機能動作を具備した施解錠システムの概略構成を示すブロック図である。
【図５】虹彩認証と顔認証と手の甲・掌血管画像における電子錠システムを図１．図３．図４に基づく電子錠システムと職場の重要出入口また、個人家族等の玄関口において、所有者照合一致システムの概略構成を示すブロック図である。
【符号の説明】
【００７６】
１０  通行証、  １１  社員証、  １２  携帯機、  １３  所有者、  １４  登録所有者、  ２０指紋画像面、  ２１  識別一致―、  ２２  １タッチ点灯制御、  ２３  指紋認証又は暗証番号・記号読取センサー認証装置、  ２４  指紋認証又は暗証番号・記号読取記憶登録格納、  ２５  識別一致、  ２６  ２タッチ点灯制御、  ３０  手の甲血管画像、  ３１  手の掌血管画像、  ３２  虹彩画像、  ３３  顔画像、  ３４  虹彩画像・顔画像移行装置、  ３５  登録器、  ３６    虹彩登録器ケース、  ３７  スライドレール、  ４６  顔画像登録ケース、  ４８  リーダライタ・組込端末、  ５５  有機ＥＬシート板、  ６０  無線防災防犯電子錠、  ６１  無線防災防犯施解錠装置、  ６２  施錠制御、  ６３  解錠制御、  ６４  火災地震防犯無線送受信開閉装置、  ６５  地震火災防災防犯無線送受信部、  ６６  火災地震施解錠端末、  ６７  ロック施錠、  ６８          ロック解錠、  ６９  無線送受信埋込電子錠、  ７８  虹彩画像・顔画像電子錠装置、  ８８  客船、貨物船、タンカー、通路、出入口、ドア、引戸、  ９０  建物、室内、ドア、引戸、門扉、  ９１  ドア、引戸、門扉、  ９２  ドア、引戸、門扉、門柱、壁面、  １０１  点灯 / 消灯、  １０２  目印、  １０３  電光飾器、  １０４  電飾器、  １０５  ドア、引戸、門扉、門柱、  １０６  忘失防止装置、  １０７  出入口、ゲート、ドア、引戸、門扉、  １０８  直光誘導灯器、  １０９  ロック平行灯器、  １１９  道案内、  ２００  人物、
【手続補正３】
【補正対象書類名】図面
【補正対象項目名】全図
【補正方法】変更
【補正の内容】
【図１】
2008163673.tif 000008
【図２】
2008163673.tif 000009
【図３】
2008163673.tif 000010
【図４】
2008163673.tif 000011
【図５】
2008163673.tif 000012